(57)【特許請求の範囲】
【請求項１】
野生動物の踏板機構を有する円盤体と、円盤体の外周面を囲繞して円盤体の踏板としての降下にともない野生動物の足を緊締作動するワイヤ輪と、ワイヤ輪を形成するワイヤの一端に形成したリングに挿通したワイヤ延出端部と、ワイヤ延出端部と連結した上昇作動するワイヤ作動体とよりなり、
ワイヤ作動体は地面に固定する基部固定体と一体とし、
踏板としての円盤体を降下自在に遊嵌する上方開口した筒本体と筒本体の周面に立設した複数の脚部とから支持フレームを構成し、
筒本体の上部開口部にはワイヤのリングを収納する切欠部を設け、
筒本体の周面に配設した各脚部の上縁部には障害物を固定する障害物固定体を形成し、
踏板としての円盤体の外周には所要本数のワイヤ輪ガイドピンを立設した
ことを特徴とする野生動物の捕獲用罠。
【発明の詳細な説明】
【技術分野】
【０００１】
この発明は、野生動物の捕獲用罠に関するものである。
【背景技術】
【０００２】
従来、野生動物の捕獲用罠においては、通常、野生動物が踏み板を踏んだり、検知部材に接触したりした場合にこれらと連動連結したワイヤが自動で作用して野生動物の足を捕縛したり、檻が自動的に閉塞したりして野生動物を捕獲するように構成されているのが一般的である（例えば、特許文献１参照。）。
【先行技術文献】
【特許文献】
【０００３】
【特許文献１】特願２０１３−１７９９１６号公報
【発明の概要】
【発明が解決しようとする課題】
【０００４】
ところが、特に野生動物が踏み板を踏んだり、検知部材に接触したりして、これらと連動連結したワイヤが自動的に作用してワイヤ輪を絞り込み野生動物の足を捕縛する捕獲用罠にあっては、ワイヤ輪が地面上に一定の輪の拡がりで水平に載置されているためワイヤ輪が絞り込まれる瞬間に野生動物が足を縮めたり飛び跳ねたりするとワイヤ輪を絞り込むタイミングがずれて野生動物の足をワイヤ輪で適確に捕獲できず捕獲効率が低下するものであった。
この発明では、野生動物が踏み板等の検知部材に接触したらワイヤ輪が地上から上方に変位して空中で輪の絞りこみ作動をするように構成して野生動物の瞬間的な罠からの逃避行動に追従して野生動物の足にワイヤ輪で確実に捕縛可能な野生動物の捕獲用罠を提供するものである。
【課題を解決するための手段】
【０００５】
この発明は、野生動物の踏板機構を有する円盤体と、円盤体の外周面を囲繞して円盤体の踏板としての降下にともない野生動物の足を緊締作動するワイヤ輪と、ワイヤ輪を形成するワイヤの一端に形成したリングに挿通したワイヤ延出端部と、ワイヤ延出端部と連結した上昇作動するワイヤ作動体とよりなり、ワイヤ作動体は地面に固定する基部固定体と一体とし、踏板としての円盤体を降下自在に遊嵌する上方開口した筒本体と筒本体の周面に立設した複数の脚部とから支持フレームを構成し、筒本体の上部開口部にはワイヤのリングを収納する切欠部を設け、筒本体の周面に配設した各脚部の上縁部には障害物を固定する障害物固定体を形成し、踏板としての円盤体の外周には所要本数のワイヤ輪ガイドピンを立設したことを特徴とする野生動物の捕獲用罠を提供する。
【発明の効果】
【００１１】
請求項１の発明によれば、野生動物の踏板機構を有する円盤体と、円盤体の外周面を囲繞して円盤体の踏板としての降下にともない野生動物の足を緊締作動するワイヤ輪と、ワイヤ輪を形成するワイヤの一端に形成したリングに挿通したワイヤ延出端部と、ワイヤ延出端部と連結した上昇作動するワイヤ作動体とよりなり、ワイヤ作動体は地面に固定する基部固定体と一体とし、踏板としての円盤体を降下自在に遊嵌する上方開口した筒本体と筒本体の周面に立設した複数の脚部とから支持フレームを構成し、筒本体の上部開口部にはワイヤのリングを収納する切欠部を設け、筒本体の周面に配設した各脚部の上縁部には障害物を固定する障害物固定体を形成し、踏板としての円盤体の外周には所要本数のワイヤ輪ガイドピンを立設したことにより、確実に野生動物の足をワイヤ輪で緊縛することができ、特にワイヤ作動体がトリガー機構の解除、すなわち、踏板機構の円盤体が押し込まれることにより、円盤体の外周面を囲繞したワイヤ輪が外れてワイヤ作動体が上昇作動してワイヤ輪を緊締作動して野生動物の足を捕縛することができる効果がある。
【００１２】
また、ワイヤ作動体は地面に固定する基部固定体と一体としてなることにより、基部固定体を地面に固定し、ワイヤ作動体が上昇作動してワイヤ輪を緊締作動することができる。
【００１３】
また、踏板としての円盤体は地面に埋設した円筒状の支持フレームに降下自在に遊嵌したことにより、野生動物が円盤体を踏みつけたときに円盤体の外周面を囲繞したワイヤ輪が外れて、確実に野生動物の足を緊締することができる。
【００１４】
また、踏板としての円盤体の外周には所要本数のワイヤ輪ガイドピンを立設したことにより、ワイヤ輪はワイヤ輪ガイドピンに沿って支持フレームの上方に案内されて野生動物の足の上部においてワイヤ輪の緊縮を確実に行うことができる効果がある。
【図面の簡単な説明】
【００１７】
【図１】実施例１の野生動物の捕獲用罠の設置状態を示す斜視図。
【図２】実施例１の野生動物の捕獲用罠を示す斜視図。
【図３】実施例１の野生動物の捕獲用罠を示す分解斜視図。
【図４】（ａ）支持フレームを示す平面図。（ｂ）野生動物の捕獲用罠を示す平面図。
【図５】（ａ）野生動物の足で捕獲用罠の円盤体を踏み抜いた状態を示す平面図。（ｂ）支持フレーム内の棒状突起がワイヤ輪を支える状態を示す平面図。
【図６】実施例１の野生動物の捕獲用罠の設置状態を示す正面図。
【図７】実施例１の野生動物の捕獲用罠の設置状態を示す側面図。
【図８】実施例１の野生動物の捕獲用罠の作動状態１を示す側面図。
【図９】実施例１の野生動物の捕獲用罠の作動状態２を示す側面図。
【図１０】実施例１の野生動物の捕獲用罠の作動状態３を示す側面図。
【図１１】実施例２の野生動物の捕獲用罠を示す斜視図。
【図１２】実施例２の野生動物の捕獲用罠の設置状態を示す斜視図。
【図１３】実施例３の野生動物の捕獲用罠を示す分解斜視図。
【図１４】実施例３の野生動物の捕獲用罠を示す斜視図。
【図１５】捕獲ロープと突出機構を示す断面説明図。
【図１６】捕獲ロープと突出機構の作動状態を示す断面説明図。
【図１７】実施例３の野生動物の捕獲用罠の設置状態を示す斜視図。
【発明を実施するための最良の形態】
【００１８】
この発明は、野生動物の踏板機構を有する円盤体と、円盤体の外周面を囲繞して円盤体の踏板としての降下にともない野生動物の足を緊締作動するワイヤ輪と、ワイヤ輪を形成するワイヤの一端に形成したリングに挿通したワイヤ延出端部と、ワイヤ延出端部と連結した上昇作動するワイヤ作動体とよりなることを特徴とする野生動物の捕獲用罠を提供する。
【００１９】
また、ワイヤ作動体は地面に固定する基部固定体と一体としてなることを特徴とする。
【００２０】
また、踏板としての円盤体は地面に埋設した円筒状の支持フレームに降下自在に遊嵌したことを特徴とする。
【００２１】
また、踏板としての円盤体の外周には所要本数のワイヤ輪ガイドピンを立設したことを特徴とする。
【００２２】
また、基部固定体と円盤体とワイヤ輪とワイヤとからなるわな機構は、複数個を有し、複数の支持フレームを連結体にて連結して、各支持フレームに前記わな機構を並設して地面に設置可能としたことを特徴とする。
【００２３】
また、円盤体の外周面を囲繞して円盤体の踏板としての降下にともない野生動物の足を緊締作動するワイヤ輪と、ワイヤ輪を形成するワイヤの一端に形成したリングに挿通したワイヤ延出端部と、ワイヤ延出端部と連結したガイド基体と、ワイヤ輪を緊締作用させるとともにガイド基体に摺動自在に収納した突出体と突出体をガイド基体に沿って前方向に突出付勢する突出機構とから構成したことを特徴とする。
【００２４】
以下この発明の実施を図面に基づき詳細に説明する。
【００２５】
［実施例１］
図１は実施例１の野生動物の捕獲用罠の設置状態を示す斜視図、図２は実施例１の野生動物の捕獲用罠を示す斜視図、図３は実施例１の野生動物の捕獲用罠を示す分解斜視図、図４（ａ）は支持フレームを示す平面図、図４（ｂ）は実施例１の野生動物の捕獲用罠を示す平面図、図５（ａ）は野生動物の足で捕獲用罠の円盤体を踏み抜いた状態を示す平面図、図５（ｂ）は支持フレーム内の棒状突起がワイヤ輪を支える状態を示す平面図、図６は実施例１の野生動物の捕獲用罠の設置状態を示す正面図、図７は実施例１の野生動物の捕獲用罠の設置状態を示す側面図、図８は実施例１の野生動物の捕獲用罠の作動状態１を示す側面図、図９は実施例１の野生動物の捕獲用罠の作動状態２を示す側面図、図１０は実施例１の野生動物の捕獲用罠の作動状態３を示す側面図である。
【００２６】
この野生動物の捕獲用罠Ｋは、図１乃至図３に示すように野生動物Ｙの踏板機構を有する円盤体２０と、円盤体２０の外周面２０ｃを囲繞して円盤体２０の踏板としての降下にともない野生動物Ｙの足Ｙ１を緊締作動するワイヤ輪Ｃ１と、ワイヤ輪Ｃ１を形成するワイヤＣの一端に形成したリングＣ２に挿通したワイヤ延出端部Ｃ３と、ワイヤ延出端部Ｃ３と連結した上昇作動するワイヤ作動体Ａとよりなる。
【００２７】
ワイヤ作動体Ａは、地面Ｇに固定する基部固定体Ａ１と一体としてなる。具体的には、ワイヤ作動体Ａは、地面Ｇに固定する基部固定体Ａ１とロッド作動体Ａ２とからなり、両基部はコイルスプリングＳを介して連結されている。
【００２８】
基部固定体Ａ１は、野生動物の捕獲用罠Ｋを地面Ｇに固定する部材であり、長いロッド状で埋設可能に構成し、その先端部１０には、ワイヤＣのワイヤ延出端部Ｃ３を挿通する環状の基部環体１０ａが形成される。
【００２９】
ロッド作動体Ａ２は、コイルスプリングＳを介して基部固定体Ａ１に対し開閉可能であり、このようにロッド作動体Ａ２の先端部１１はコイルスプリングＳにより上昇付勢されていることになる。その先端部１１には、ワイヤＣのワイヤ延出端部Ｃ３を挿通する環状のロッド環体１１ａが形成される。また、ロッド作動体Ａ２の先端部１１は、所定の長さを折り曲げている。かかる折曲部１１ｂをロッド作動体Ａ２に設けることで、基部固定体Ａ１を埋設しつつロッド作動体Ａ２の折曲部１１ｂは確実に地上に露出させることができる。
なお、設置時においてロッド作動体Ａ２には、かずら等を巻き付けて隠すようにしている。
【００３０】
基部固定体Ａ１とロッド作動体Ａ２とは、それぞれの先端部１０，１１同士をトリガー機構Ｄを介して連結することによりコイルスプリングＳの付勢力を規制する構成としている。
【００３１】
すなわち、トリガー機構Ｄは、円盤体２０の外周面２０ｃにワイヤ輪Ｃ１を係合して、ワイヤ延出端部Ｃ３をリングＣ２、ロッド作動体Ａ２のロッド環体１１ａ、基部固定体Ａ１の基部環体１０ａの順に挿通して、さらに、ワイヤ延出端部Ｃ３を基部環体１０ａ下においてワイヤストッパＥ（図３参照）で留めて、ワイヤＣの一端は周辺の固定物Ｔに固定する構成としている。
【００３２】
円盤体２０は、円形状でかつその厚みをワイヤＣの直径より大きく形成しており、しかも、野生動物が円盤体２０を踏み込んだ際にワイヤ輪Ｃ１が円盤体２０の外周面２０ｃから確実に外れて、野生動物Ｙを捕獲するトリガーとなるように例えば、発泡スチロール材、木材、プラスチック等で構成している。
さらに、円盤体２０には、その外周面２０ｃにワイヤＣのワイヤ輪Ｃ１を係合した際の破損を防ぐべくコーティングを施しても良い。
また、図３及び図４（ｂ）に示すように円盤体２０の底面部２０ｂには、野生動物Ｙが踏み込んだ際に円盤体２０が確実に割れるために十字の切り込みを形成してもよい。図中の符号２０ａは円盤体２０の上面部である。
【００３３】
図３及び図４に示すように、支持フレーム３０は、円盤体２０を遊嵌する上方開口した筒本体３１と筒本体３１の周面に複数の板状の脚部３２，３２，３３，３３とから構成しており、筒本体３１の周面には、脚部３２，３２，３３，３３が２枚平行に立設されている。かかる構成の支持フレーム３０は、作業者が足で踏む込むことで地面Ｇ中に簡単に埋設することができる。
【００３４】
筒本体３１の上部開口部３１ａには、ワイヤＣのリングＣ２を収納するための切欠部３１ｂを設けており、さらに、筒本体３１の内周面３１ｃには、ワイヤ輪Ｃ１が当接して上方へ外れやすくするための棒状突起３４を複数配設している。すなわち、図５（ｂ）に示すように円盤体２０が縮径した場合にワイヤ輪Ｃ１が縮径しても、確実にワイヤ輪Ｃ１が棒状突起３４，３４により当接して外れることとなる。
【００３５】
また、図２、図３及び図６に示すように筒本体３１には、ワイヤ輪Ｃ１を上部開口部３１ａより上方へガイドするための棒状のワイヤ輪ガイドピン３５を連結具３６を介して連結している。すなわち、ワイヤ輪ガイドピン３５は、その基部を筒本体３１の挿通孔３１ｄに挿通した連結具３６により締結によって左右方向に角度を調節可能に連結している。
【００３６】
筒本体３１の外周に配設した各脚部３２，３３には、その上縁部に障害物Ｘを固定するＶ字状の障害物固定体３２ａ，３３ａを形成しており、さらに、脚部３２，３３の側面には、障害物固定体３２ａに載置した障害物Ｘを針金或いは紐等で固定する際に使用する挿通孔３２ｂ，３３ｂをそれぞれ穿設している。
【００３７】
更には、基部固定体Ａ１とロッド作動体Ａ２は、トリガー機構Ｄを介して離脱自在に連結されている。
【００３８】
そして、外部からの一定のトリガーで連結が解除されるとロッド作動体Ａ２は基端のコイルスプリングＳを中心に傾斜状に起立して先端部が上昇するように構成されている。
【００３９】
なお、以下説明において円盤体２０とワイヤＣと基部固定体Ａ１とロッド作動体Ａ２からなる機構をわな機構Ｈという。
【００４０】
外部からの一定のトリガーとは、支持フレーム３０に遊嵌した円盤体２０が野生動物Ｙの足Ｙ１で踏み込まれて円盤体２０の外周面２０ａに係合したワイヤ輪Ｃ１が解除されるような作動状態を指すものであり、以下においてトリガーによりワイヤ輪Ｃ１が解除される動作について説明する。
【００４１】
すなわち、円盤体２０の外周面２０ａにワイヤ輪Ｃ１を係合し、ワイヤＣのワイヤ延出端部Ｃ３をロッド作動体Ａ２の先端部１１のロッド環体１１ａと基部固定体Ａ１の先端部１０の基部環体１０ａとに順次挿通して、基部固定体Ａ１の先端部下でワイヤ延出端部Ｃ３にワイヤストッパＥを取付けることより構成している。
さらに、円盤体２０は、ワイヤ輪Ｃ１を係合したまま支持フレーム３０の上部開口部３１ａに降下自在に遊嵌しており、しかも、外部からの一定のトリガー、例えば、円盤体２０が野生動物の足により踏み込まれ場合に円盤体２０の外周面２０ａからワイヤ輪Ｃ１が上方に外れてトリガー機構Ｄによる連結が解除されてロッド作動体Ａ２の先端部１１が基部固定体Ａ１から離隔して上昇付勢するように構成する。
【００４２】
すなわち、野生動物による円盤体２０の下降によりワイヤ輪Ｃ１が円盤体２０から抜けて基部固定体Ａ１の先端部１０とロッド作動体Ａ２の先端部１１との連結が解除され、ロッド作動体Ａ２の先端部１１は基部固定体Ａ１から離隔して上昇付勢される際に、ロッド作動体Ａ２の先端部１１がワイヤＣのリングＣ２を押してワイヤ輪Ｃ１を縮径し野生動物Ｙの足Ｙ１を緊縛する。
【００４３】
かかる動作と同時に、ワイヤ輪Ｃ１と円盤体２０との間の支持フレーム３０のワイヤ輪ガイドピン３５がワイヤ輪Ｃ１を上方へ摺動しながらガイドすることにより野生動物Ｙの足Ｙ１の上部を確実に緊縛するように作用して、捕獲率を向上することができる。
【００４４】
この発明の実施例１は上記のように構成されており、次のように用いられる、かつ機能する。
【００４５】
（１）まず、野生動物を捕獲する場所に赴き、本発明の野生動物の捕獲用罠Ｋを地面上に載置固定する（図１、図７参照）。
地面Ｇへの固定に際しては、支持フレーム３０を地中に埋設して、野生動物Ｙが支持フレーム３０を通過する際に前方位置となる脚部３２，３２に障害物Ｘを括りつけておく。かかる支持フレーム３０の前方位置に障害物Ｘを設けることで、野生動物Ｙが障害物を飛び越えるために歩幅を調整し、障害物の手前に設置している円盤体２０を野生動物Ｙが足Ｙ１で踏みつける確率を高めることができる。なお、支持フレーム３０を埋設する場合には、従来のような掘削孔を掘らずに、支持フレーム３０を作業者が足で踏み込むことで、地中に簡単に埋設することができる。
【００４６】
その時に野生動物の捕獲用罠ＫのワイヤＣの終端を周辺にある立木等の固定物Ｔに固定する。
しかも、ワイヤ輪Ｃ１は円盤体２０の外周面２０ａを締め付けて、その円盤体２０を支持フレーム３０に降下自在に遊嵌しておく。ワイヤ輪Ｃ１を形成するワイヤＣの一端に形成したリングＣ２に挿通したワイヤ延出端部Ｃ３は、ワイヤＣの一端に形成したリングＣ２に挿通し、さらに後述するようにロッド作動体Ａ２の先端部１１のロッド環体１１ａと基部固定体Ａ１の先端部１０の基部環体１０ａに挿通して、基部固定体Ａ１の先端部下に位置するワイヤＣのワイヤ延出端部Ｃ３にワイヤストッパＥを取付けて、ロッド作動体Ａ２の上昇付勢を規制する。
【００４７】
このときロッド作動体Ａ２の上昇付勢力は、ワイヤ輪Ｃ１が円盤体２０の外周部を締付けている間、ワイヤ延出端部Ｃ３がロッド作動体Ａ２の先端部１１と基部固定体Ａ１の先端部１０とを基部固定体Ａ１の基部環体１０ａ下の位置でワイヤストッパＥにて係止することで、保持状態が保たれている。
その後、基部固定体Ａを地中に埋設して、図７中の安全リングＺを取り外す。かかる状態で野生動物の捕獲用罠Ｋの設置準備が完了する。
【００４８】
（２）その後、図５（ａ）、図８及び図９に示すように、野生動物が円盤体２０を踏むと、円盤体２０が支持フレーム３０開口内に降下して、このようにして外部からの一定のトリガーが発生し、円盤体２０の外周面２０ａからワイヤ輪Ｃ１が外れて、ロッド作動体Ａ２と基部固定体Ａ１とを連結していた連結機能が解除されてロッド作動体Ａ２の先端部が基部固定体Ａ１から離隔して傾斜状に上昇する。すなわち、ロッド作動体Ａ２の先端部がワイヤ輪Ｃ１のリングＣ２に激突して、上方に押し出せばリングＣ２はワイヤ輪Ｃ１の輪径を収縮して縮径し野生動物Ｙの足Ｙ１を緊縛する（図１０参照）。
特に、円盤体２０からワイヤ輪Ｃ１が外れたのち、そのワイヤ輪Ｃ１が支持フレーム３０のワイヤ輪ガイドピン３５，３５により上方にガイドされるため、野生動物Ｙの足Ｙ１の上部（蹄より上の高い位置）を捕縛するように作用し、野生動物の捕獲確率をより向上することができる。
なお、リングＣ２はワイヤＣの一端を環状に結びその中にワイヤの他端を挿入してワイヤ輪Ｃ１を形成している。
【００４９】
（３）特に、ロッド作動体Ａ２が傾斜状に上昇するために野生動物Ｙの足Ｙ１にワイヤ輪Ｃ１を縮径して、野生動物Ｙを緊縛することになる。
その後、野生動物Ｙが足Ｙ１の緊縛の異常を感知して暴れてもワイヤＣは固定物Ｔに連結されているため安全で確実な捕獲作業が完了する。
【００５０】
［実施例２］
［ダブル支持フレーム］
図１１及び図１２に示すダブル支持フレーム４０は、円筒状の筒本体３１，３１同士を板状の連結体４２，４２で連結する構造としている。
【００５１】
各連結体４２の上縁中央には、障害物Ｘを固定するＶ字状の障害物固定体４２ａを形成しており、さらに、連結体４２の側面中央には、障害物固定体４２ａに載置した障害物Ｘを針金或いは紐等で固定する際に使用する挿通孔４２ｂを穿設している。
【００５２】
各筒本体３１には、基部固定体Ａ１とロッド作動体Ａ２と円盤体２０とワイヤとからなるわな機構Ｈをそれぞれ取付可能とした。
なお、図１１及び図１２中の各構成図について実施例１の各構成部と同一符号を付して同一説明を省略する。
【００５３】
この発明の実施例２は上記のように構成されており、次のように用いられる、かつ機能する。
【００５４】
（１）まず、野生動物を捕獲する場所に赴き、野生動物の捕獲用罠Ｋを地面上に載置固定する（図１、図７参照）。
地面Ｇへの固定に際しては、ダブル支持フレーム４０を地中に埋設して、野生動物Ｙがダブル支持フレーム４０の連結体４２，４２に障害物Ｘを括りつけておく。かかるダブル支持フレーム４０の中央位置に障害物Ｘを設けることで、野生動物Ｙが障害物を飛び越えるために歩幅を調整し、障害物の手前に設置している円盤体２０を野生動物Ｙが足Ｙ１で踏みつける確率を高めることができる。
【００５５】
その時に各わな機構ＨのそれぞれワイヤＣの終端を周辺にある立木等の固定物Ｔに固定する。
しかも、各わな機構Ｈにおいて、ワイヤ輪Ｃ１は円盤体２０の外周面２０ａを締め付けて、その円盤体２０を支持フレーム３０に降下自在に遊嵌しておく。ワイヤ輪Ｃ１を形成するワイヤＣの一端に形成したリングＣ２に挿通したワイヤ延出端部Ｃ３は、ワイヤＣの一端に形成したリングＣ２に挿通し、さらに後述するようにロッド作動体Ａ２の先端部１１のロッド環体１１ａと基部固定体Ａ１の先端部１０の基部環体１０ａに挿通して、基部固定体Ａの先端部下に位置するワイヤＣのワイヤ延出端部Ｃ３にワイヤストッパＥを取付けて、ロッド作動体Ａ２の上昇付勢を規制する。
【００５６】
このときロッド作動体Ａ２の上昇付勢力は、ワイヤ輪Ｃ１が円盤体２０の外周部を締付けている間、ワイヤ延出端部Ｃ３がロッド作動体Ａ２の先端部１１と基部固定体Ａ１の先端部１０とを基部固定体Ａ１の基部環体１０ａ下の位置でワイヤストッパＥにて係止することで、保持状態が保たれている。
かかる状態で野生動物の捕獲用罠Ｋの設置準備が完了する。
【００５７】
（２）その後、図１２に示すように、獣道の往路復路の何れかから歩いてくる野生動物がどちらかの筒本体３１の円盤体２０を踏むと、円盤体２０がダブル支持フレーム４０開口内に降下して、このようにして外部からの一定のトリガーが発生し、円盤体２０の外周面２０ａからワイヤ輪Ｃ１が外れて、ロッド作動体Ａ２と基部固定体Ａ１とを連結していた連結機能が解除されてロッド作動体Ａ２の先端部が基部固定体Ａ１から離隔して傾斜状に上昇する。すなわち、ロッド作動体Ａ２の先端部がワイヤ輪Ｃ１のリングＣ２に激突して、上方に押し出せばリングＣ２はワイヤ輪Ｃ１の輪径を収縮して縮径し野生動物Ｙの足Ｙ１を緊縛する。
特に、円盤体２０からワイヤ輪Ｃ１が外れたのち、そのワイヤ輪Ｃ１がダブル支持フレーム４０のワイヤ輪ガイドピン３５，３５により上方にガイドされるため、野生動物Ｙの足Ｙ１の上部（蹄より上の高い位置）を捕縛するように作用し、野生動物の捕獲確率をより向上することができる。
なお、リングＣ２はワイヤＣの一端を環状に結びその中にワイヤの他端を挿入してワイヤ輪Ｃ１を形成している。
【００５８】
（３）特に、ロッド作動体Ａ２が傾斜状に上昇するために野生動物Ｙの足Ｙ１にワイヤ輪Ｃ１を縮径して、野生動物Ｙを緊縛することになる。
その後、野生動物Ｙが足Ｙ１の緊縛の異常を感知して暴れても捕獲ロープＣは固定物Ｔに連結されているため安全で確実な捕獲作業が完了する。
【００５９】
かかる構成を備えた野生動物の捕獲用罠Ｋによれば、獣道において一方の筒本体３１を往路側、他方の筒本体３１を復路側にそれぞれ位置するように設置することができ、往路復路の何れの方向からも野生動物が進行してきた場合に、何れかの筒本体３１に設置したわな機構Ｈのワイヤ輪Ｃ１で緊縛することができる。
【００６０】
［実施例３］
［他の支持フレーム］
図１３に示す支持フレーム５０は、積雪が多い地域で使用するのに適しており、雪の中に埋没させて、２種類のわな機構を同時に取付可能としたものである。
【００６１】
ガイド基体１４は筒状に構成し、その中には同じく筒状に構成した突出体１５が遊嵌収納されている。
【００６２】
このようにガイド基体１４と突出体１５はパイプ状に構成し、突出体１５はガイド基体１４中を突出自在に摺動することができる。
【００６３】
ガイド基体１４と突出体１５との間には突出機構１６が介在されている。
【００６４】
すなわち、突出機構１６はガイド基体１４の底部１４ａと突出体１５の天井部１５ａとの間に介設したコイル状のスプリング１７により構成している。
【００６５】
ここで、円盤体２０の外周面２０ａにワイヤ輪Ｃ１を係合し、ワイヤＣのワイヤ延出端部Ｃ３を突出体１５内を挿通して突出体１５の小孔１５ｂから引き出しワイヤストッパＥで係止し、さらにワイヤＣの終端を周辺にある立木等の固定物Ｔに固定する。
また、ガイド基体１４中の突出体１４前端面１４ｃがリングＣ２、円盤体２０に当接して突出体１５の突出付勢を規制している。
【００６６】
さらに、支持フレーム５０の上部開口部３１ａに円盤体２０を遊嵌する。
【００６７】
突出体１５は先方に突出した際に前端がガイド基体１４の先方にあるワイヤＣのワイヤ輪Ｃ１のリングＣ２に当接してリングＣ２をワイヤ輪Ｃ１の収縮方向に変位させる機能を有している。
【００６８】
突出体１５の先端及び後端からはコイル状のスプリング１７の中心を挿通したワイヤＣが挿貫されてガイド基体１４の底部１４ａから後方に伸延し、その終端は野生動物の捕獲用罠Ｋを設置する周辺の固定物Ｔに固定し、突出体１５の先端から伸延したワイヤＣの先端はリングＣ２を形成して収縮自在の輪に構成したワイヤ輪Ｃ１を構成している。
【００６９】
上記構成からなるわな機構Ｈ’において、ガイド基体１４の外周に凍結防止のための防寒用筒１８を取り付けるようにしている。防寒用筒１８を挿嵌することにより、突出機構１６が不用意に凍結することなく、トリガーが作動して確実に野生動物Ｙを捕獲することができる。
【００７０】
さらに、上記わな機構Ｈ’とは別の実施例１及び２で説明したわな機構Ｈを１つの支持フレーム５０に取り付けるようにしている。
すなわち、一つの円盤体２０の外周面２０ｃにそれぞれのわな機構Ｈ，Ｈ’のワイヤ輪Ｃ１，Ｃ１を取り付けるようにしている。
【００７１】
なお、図１３乃至図１７中の各構成図について実施例１の各構成部と同一符号を付して同一説明を省略する。
【００７２】
この発明の実施例３は上記のように構成されており、次のように用いられる、かつ機能する。
【００７３】
まず、野生動物を捕獲する場所に赴き、積雪した雪中を掘削して、掘削孔の底に支持フレーム５０の沈下を防ぐ円型の板Ｐを設置し、その上に支持フレーム５０を載置する（図１７参照）。
【００７４】
支持フレーム５０には２種類のわな機構Ｈ、Ｈ’を仕掛ける。特に、わな機構Ｈ’は、凍結防止用の防寒用筒１８を取り付けており、円盤体２０を野生動物Ｙが足Ｙ１で踏むと、円盤体２０がダブル支持フレーム４０開口内に降下して、このようにして外部からの一定のトリガーが発生し、円盤体２０の外周面２０ａからワイヤ輪Ｃ１が外れて、ガイド基体１４中に収納した突出体１５の突出規制が解除されて突出機構１６のスプリング１７によりワイヤ輪Ｃ１のリングＣ２の先方に向かって突出体１５が飛び出し、リングＣ２を押してワイヤ輪Ｃ１を縮径し野生動物Ｙの足Ｙ１を緊縛する。
【００７５】
なお、他方のわな機構Ｈの作動手順については、実施例１にて上述した通り重複説明を省力する。
【００７６】
特に、積雪が多い地域においては、一方のわな機構Ｈが凍結により作動しなくても、他方のわな機構Ｈ’が捕獲作動するため、野生動物を確実に捕縛することが可能となる効果がある。
【００７７】
なお、円盤体２０は略円形に形成しており、使用に際しては、粘着性の飯粒等を擦りつけておきその上に偽装のために葉っぱ等を張り付けておけば、野生動物Ｙの足Ｙ１が葉っぱ上に乗っても葉っぱＬが滑らず確実に野生動物Ｙを円盤体２０で検知を行うことができる。
【００７８】
なお、上述した実施例３において、支持フレーム５０に同時に２種類のわな機構Ｈ、Ｈ’を取り付けるようにしたが、気候に応じて、１つのわな機構を取り付けるようにしてもよい。例えば、積雪がない場合には、上方に離隔するわな機構Ｈを支持フレーム５０に取り付ける設置し、積雪があった場合には、凍結防止機能を備えたわな機構Ｈ’を支持フレーム５０に取り付けて設置するようにしてもよい。
【００７９】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【００８０】
Ｋ  野生動物の捕獲用罠
Ｙ  野生動物
Ｙ１  足
Ｇ  地面
Ｔ  固定物
Ｘ  障害物
Ｚ  安全リング
Ａ  ワイヤ作動体
Ａ１  基部固定体
１０  先端部
１０ａ  基部環体
Ａ２  ロッド作動体
１１  先端部
１１ａ  ロッド環体
１１ｂ  折曲部
１４  ガイド基体
１４ａ  底部
１４ｂ  後端壁
１５  突出体
１５ａ  天井部
１５ｂ  突出体先端面
１６  突出機構
１７  スプリング
１８  防寒用筒
Ｃ  ワイヤ
Ｃ１  ワイヤ輪
Ｃ２  リング
Ｃ３  ワイヤ延出端部
Ｄ  トリガー機構
Ｅ  ストッパピン
Ｈ  わな機構
Ｓ  コイルスプリング
２０  円盤体
２０ａ  上面部
２０ｂ  底面部
２０ｃ  外周面
３０  支持フレーム
３１  筒本体
３１ａ  上部開口部
３１ｂ  切欠部
３１ｃ  内周面
３１ｄ  挿通孔
３２、３３  脚部
３２ａ  障害物固定体
３２ｂ  挿通孔
３４  棒状突起
３５  ワイヤ輪ガイドピン
３６  連結具
４０  ダブル支持フレーム
４２  連結体
４２ａ  障害物固定体
【要約】      （修正有）【課題】野生動物が踏み板等の検知部材に接触したらワイヤ輪が地上から上方に変位して空中で輪の絞りこみ作動をするように構成して野生動物の瞬間的な罠からの逃避行動に追従して野生動物の足にワイヤ輪で確実に捕縛可能な野生動物の捕獲用罠を提供する。【解決手段】野生動物の踏板機構を有する円盤体２０と、円盤体の外周面を囲繞して円盤体の踏板としての降下にともない野生動物の脚部を緊締作動するワイヤ輪Ｃ１と、ワイヤ輪を形成するワイヤの一端に形成したリングＣ２に挿通したワイヤ延出端部Ｃ３と、ワイヤ延出端部と連結した上昇作動するワイヤ作動体Ａとよりなる。【選択図】図１【図１】
0006006447.tif 000002
【図２】
0006006447.tif 000003
【図３】
0006006447.tif 000004
【図４】
0006006447.tif 000005
【図５】
0006006447.tif 000006
【図６】
0006006447.tif 000007
【図７】
0006006447.tif 000008
【図８】
0006006447.tif 000009
【図９】
0006006447.tif 000010
【図１０】
0006006447.tif 000011
【図１１】
0006006447.tif 000012
【図１２】
0006006447.tif 000013
【図１３】
0006006447.tif 000014
【図１４】
0006006447.tif 000015
【図１５】
0006006447.tif 000016
【図１６】
0006006447.tif 000017
【図１７】
0006006447.tif 000018